(57)【要約】【課題】大掛かりな電気工事や取付工事を不要とし、汎用性の向上を図る。【解決手段】本発明の鍵カードシステムは、電気機器１４，１５，１６のリモートコントロール装置２９から無線で送信される前記電気機器の制御信号を受信する受信部２０と、受信部２０が受信した前記電気機器の制御信号を記憶する記憶部１９と、鍵カード１２の鍵カードホルダー１３に対する挿入又は引き抜き操作を検知するカード検知部１７と、カード検知部１７が検知した鍵カード１２の鍵カードホルダー１３に対する挿入又は引き抜き操作に対応して前記電気機器の制御信号を記憶部１９から読み出す制御部２１と、制御部２１が記憶部１９から読み出した前記電気機器の制御信号を前記電気機器に無線で送信する送信部２０とを備えていることを特徴とする。【選択図】図２
2010229680.tif 000002
【特許請求の範囲】
【請求項１】
部屋の施錠又は解錠を行うための鍵カードと、部屋内に設置されて前記鍵カードを挿入又は引き抜き自在に保持する鍵カードホルダーとを備え、前記鍵カードの前記鍵カードホルダーに対する挿入又は引き抜き操作に連動して電気機器の制御を行う鍵カードシステムにおいて、
前記電気機器のリモートコントロール装置から無線で送信される前記電気機器の制御信号を受信する受信部と、
該受信部が受信した前記電気機器の制御信号を記憶する記憶部と、
前記鍵カードの前記鍵カードホルダーに対する挿入又は引き抜き操作を検知するカード検知部と、
該カード検知部が検知した前記鍵カードの前記鍵カードホルダーに対する挿入又は引き抜き操作に対応して前記電気機器の制御信号を前記記憶部から読み出す制御部と、
該制御部が前記記憶部から読み出した前記電気機器の制御信号を前記電気機器に無線で送信する送信部と、
を備えていることを特徴とする鍵カードシステム。
【発明の詳細な説明】
【技術分野】
【０００１】
本発明は、部屋の施錠又は解錠を行うための鍵カードと、部屋側に設けられて在室中に鍵カードを保持する鍵カードホルダーとを備えた鍵カードシステムに関する。
【背景技術】
【０００２】
従来、ホテル等の各部屋の施錠又は解錠を行うための鍵カード（磁気カードキー或いは部屋番号やホテル名等を刻印したカード型キーホルダー等）の紛失等を防止するため、部屋内に設置された鍵カードホルダーに鍵カードを挿入又は引き抜き自在に保持するようにしたものが公知である。
【０００３】
また、従来、鍵カードの鍵カードホルダーへの挿入又は引き抜きに連動して室内照明の点灯（ＯＮ）又は消灯（ＯＦＦ）を行う鍵カードシステムも知られている（例えば、特許文献１参照）。
【０００４】
図６は、このような従来の鍵カードシステムの一例を示しており、１は家庭用交流電源、２は鍵カード（磁気カードキー）、３は鍵カードホルダー、４は室内照明等の電気機器である。そして、この鍵カードホルダー３は、鍵カード２を保持すると共に鍵カード２の挿入（挿し）又は引き抜き（抜き）を検出するカード検知部５と、電気機器４と家庭用交流電源１との間の電源供給をＯＮ又はＯＦＦするリレー回路６と、カード検知部５からの検知情報に基づいてリレー回路６にＯＮ又はＯＦＦの制御信号を出力する制御部７とを備えて構成されており、家庭用交流電源１と電気機器４とはリレー回路６を介して電気配線８、９によって直列に接続されている。
【先行技術文献】
【特許文献】
【０００５】
【特許文献１】特開２００７−１２００６６号公報
【発明の概要】
【発明が解決しようとする課題】
【０００６】
ところが、上記した従来の鍵カードシステムにあっては、家庭用交流電源１と電気機器４とがリレー回路６を介して電気配線８、９によって直列に接続されているため、室内の他の電気機器（例えば、テレビやエアコン等）を鍵カード２の鍵カードホルダー３への挿入又は引き抜きに連動してＯＮ又はＯＦＦさせようとすると、それぞれの電気機器毎にリレー回路６を介して家庭用交流電源１に直列に電気配線接続させるための電気工事が必要となり、手間が掛かるといった問題があった。
【０００７】
また、例えば、エアコンのように接続する電気機器の電源容量が大きい場合には、リレー回路６も大容量化しなければならず、大掛かりな電気工事が必要となり、コストが高騰する要因となっていた。
【０００８】
さらに、例えば、電気機器としてテレビを上記した従来の鍵カードシステムに組み込んだ場合、利用客の要望に合わせてテレビの位置や向きを変えることが困難になる一方、テレビの位置や向きを変えることができるようにすると、配線コードを長くしなければならず、余分な配線コードが邪魔となるといった問題が生じていた。
【０００９】
さらにまた、上記した従来の鍵カードホルダー３は、電気機器４の電源を単にＯＮ又はＯＦＦすることしかできないため、接続された電気機器４は全てそのＯＮ又はＯＦＦで一括管理されてしまい、例えば、短時間の外出であるからエアコンはＯＮのままにしておきたい等、ＯＮ／ＯＦＦ制御を希望しない場合や、外出する際の再入室予定時間帯（例えば、昼夜）等に応じて温度設定や音量設定を変更したうえで外出したい場合の対応が困難で、汎用性が低いという問題もあった。
【００１０】
そこで、本発明は、上記した課題を解決すべくなされたものであり、制御対象となる電気機器の電気容量に関係なく大掛かりな電気工事や取付工事が不要となり、コストの削減及び汎用性の向上を図ることのできる鍵カードシステムを提供することを目的とする。
【課題を解決するための手段】
【００１１】
本発明に係る鍵カードシステムは、部屋の施錠又は解錠を行うための鍵カードと、部屋内に設置されて前記鍵カードを挿入又は引き抜き自在に保持する鍵カードホルダーとを備え、前記鍵カードの前記鍵カードホルダーに対する挿入又は引き抜き操作に連動して電気機器の制御を行う鍵カードシステムにおいて、前記電気機器のリモートコントロール装置から無線で送信される前記電気機器の制御信号を受信する受信部と、該受信部が受信した前記電気機器の制御信号を記憶する記憶部と、前記鍵カードの前記鍵カードホルダーに対する挿入又は引き抜き操作を検知するカード検知部と、該カード検知部が検知した前記鍵カードの前記鍵カードホルダーに対する挿入又は引き抜き操作に対応して前記電気機器の制御信号を前記記憶部から読み出す制御部と、該制御部が前記記憶部から読み出した前記電気機器の制御信号を前記電気機器に無線で送信する送信部とを備えていることを特徴とする。
【発明の効果】
【００１２】
本発明に係る鍵カードシステムによれば、制御対象となる電気機器の電気容量に関係なく大掛かりな電気工事や取付工事が不要となり、コストの削減及び汎用性の向上を図ることができる。
【図面の簡単な説明】
【００１３】
【図１】本発明の実施の形態に係る鍵カードシステムにおいて制御対象の電気機器を登録している状態を示す説明図である。
【図２】本発明の実施の形態に係る鍵カードシステムにおいて制御対象の電気機器を制御している状態を示す説明図である。
【図３】本発明の実施の形態に係る鍵カードシステムの鍵カードホルダーの一例を示す正面図である。
【図４】本発明の実施の形態に係る鍵カードシステムにおいて制御対象の電気機器の制御信号を登録する際のルーチンを示すフロー図である。
【図５】本発明の実施の形態に係る鍵カードシステムにおいて制御対象の電気機器を制御する際のルーチンを示すフロー図である。
【図６】従来の鍵カードシステムを示す説明図である。
【発明を実施するための形態】
【００１４】
次に、本発明の実施の形態に係る鍵カードシステムについて、図面を参照して説明する。ここで、図１は本発明の実施の形態に係る鍵カードシステムにおいて制御対象の電気機器を登録している状態を示す説明図、図２は同実施の形態に係る鍵カードシステムにおいて制御対象の電気機器を制御している状態を示す説明図、図３は同実施の形態に係る鍵カードシステムの鍵カードホルダーの一例を示す正面図、図４は同実施の形態に係る鍵カードシステムにおいて制御対象の電気機器の制御信号を登録する際のルーチンを示すフロー図、図５は同実施の形態に係る鍵カードシステムにおいて制御対象の電気機器を制御する際のルーチンを示すフロー図である。
【００１５】
図１及び図２に示すように、本発明の実施の形態に係る鍵カードシステムは、交流又は直流の電源１１と、鍵カード（例えば、磁気カードキー）１２と、鍵カードホルダー１３と、制御対象の電気機器としての室内照明１４、テレビ１５、エアコン１６等とを備えて構成されている。
【００１６】
制御対象となる電気機器としては、上記した室内照明１４、テレビ１５、エアコン１６等に限定されるものではなく、その数、種類、形式等は任意であり、家庭用の電源コンセントとプラグとの接続による電源供給方式によって電源供給を受けると共にリモートコントロール操作が可能な汎用の電気機器（家電機器）であれば、本発明の制御対象となる電気機器として用いることができる。
【００１７】
これにより、電源１１は、各電気機器（室内照明１４、テレビ１５、エアコン１６等）への電源供給と切り離すことができるため、家庭用交流電源を用いても良いし、電池等を用いても良い。また、例えば、室内照明１４に関しては従来技術と同様の電源供給並びにＯＮ／ＯＦＦ制御とし、テレビ１５及びエアコン１６は後述する制御方式を採用するといった分離制御も可能である。
【００１８】
鍵カードホルダー１３は、鍵カード１２を保持すると共に鍵カード１２の挿入（挿し）又は引き抜き（抜き）を検出するカード検知部１７と、複数のボタンスイッチ等からなる操作部１８と、各電気機器（室内照明１４、テレビ１５、エアコン１６等）の制御信号を記憶可能な記憶部１９と、赤外線や電波等を利用して行う無線通信用の送受信部２０と、制御部２１と、を備えて構成されている。
【００１９】
図３に示すように、鍵カードホルダー１３は、本体２２と、本体２２を開閉すると共に送受信部２０を露出させるための窓部２３ａが形成されたカバー２３と、本体２２の正面に操作部１８として配置された電気機器（この場合は室内照明１４、テレビ１５、エアコン１６）を登録するための登録ボタンスイッチ２５とを備えている。また、鍵カードホルダー１３は、例えば、鍵カード１２を引き抜いた直後に室内照明１４を消灯してしまうことを防止するため、ある程度（例えば、５秒間）は継続して点灯を継続させるための公知の消灯遅延タイマが設けられている。
【００２０】
カード検知部１７は、磁気カードキー或いは部屋番号やホテル名等を刻印したカード型キーホルダー等からなる鍵カード１２が挿入される挿入口（図示せず）を備え、該挿入口にはマイクロスイッチ（図示省略）が設けられている。そして、この挿入口に対する鍵カード１２の挿入（挿し）又は引き抜き（抜き）によって発生した状態の変化をトリガーとして、制御部２１は、カード検知部１７の状態を確認し、前記マイクロスイッチがクローズされているか或いはオープンされているかによって、前記挿入口に対する鍵カード１２の挿し・抜きを判別するようになっている。
【００２１】
記憶部１９は、例えば、各電気機器（室内照明１４、テレビ１５、エアコン１６等）のメーカや機種に対応した識別信号（リモコンコード）と、電源信号（ＯＮ信号／ＯＦＦ信号）と、光量・ＴＶ音量・ＴＶチャンネル・エアコン運転（冷房／暖房等）・エアコン設定温度・エアコン風量（微風／弱風／強風／急速等）の各種設定信号とからなる制御信号として記憶することができる。また、記憶部１９には、本発明の鍵カードシステムに関する制御プログラムも格納されており、制御部２１と共にマイクロコンピュータを構成している。
【００２２】
なお、記憶部１９は記憶及び消去が可能であれば、その種類は特に限定されるものではなく、鍵カードホルダー１３に内蔵固定されたものの他、鍵カードホルダー１３に着脱可能な外部メモリ（ＳＤメモリカード等のリムーバブルメディア）や、鍵カード１３に設けられているものであっても良い。
【００２３】
送受信部２０は、例えば、図１に示すように、エアコン１６を遠隔制御するためのリモートコントロール装置２９（以下、単に「リモコン」と称する。）の送信部２９ａ等、電気機器に固有のリモコンから送信された識別信号（リモコンコード）や電源信号（ＯＮ信号／ＯＦＦ信号）及び前記各種設定信号からなる制御信号を受信する受信部として機能する一方、鍵カード１２の挿入又は引き抜き操作に連動してその制御信号を電気機器（室内照明１４、テレビ１５、エアコン１６等）に送信する送信部として機能する。
【００２４】
次に、本発明の実施の形態に係る鍵カードシステムの動作について説明する。
【００２５】
先ず、図１、図３及び図４を参照しつつ、本発明の実施の形態に係る鍵カードシステムにおいて電気機器の制御信号を登録する際のルーチンについて説明する。なお、以下の説明では、電気機器としてエアコン１６のリモコン２９から送信される識別信号、電源信号、及び各種設定信号を含む制御信号を登録する場合について例示して説明する。
【００２６】
（ステップＳ１）
本発明の実施の形態に係る鍵カードシステムを実行するにあたり、先ず、カバー２３を開放し、操作部１８に設けられた登録ボタンスイッチ２５を押圧操作し、鍵カードホルダー１３に対するエアコン１６の制御信号の登録作業を開始する。
【００２７】
（ステップＳ２）
エアコン１６のリモコン２９の電源ボタン２９ｂ，運転ボタン２９ｃ，温度設定ボタン２９ｄ，風量設定ボタン２９ｅ等をそれぞれ押圧することにより、エアコン１６のリモコン２９の送信部２９ａからリモコン２９の識別信号（リモコンコード）・電源信号（ＯＮ信号／ＯＦＦ信号）・各種設定信号（冷暖房運転・風量・温度）からなる制御信号が無線で送信される。この制御信号は送受信部２０の受信部によって受信され、制御部２１はこの制御信号をエアコン１６と対応付けて記憶部１９に記憶させる。
【００２８】
（ステップＳ３）
ステップＳ３では、制御部２１が、鍵カードホルダー１３の挿入口に鍵カード１２が挿入された時に記憶部１９に記憶された前記制御信号をエアコン１６に送信してエアコン１６をＯＮするか、或いはＯＦＦするかを選択する。
【００２９】
例えば、鍵カードホルダー１３の挿入口から鍵カード１２を引き抜いた状態で前記制御信号の登録作業を行い、該登録作業完了後に鍵カードホルダー１３の挿入口に鍵カード１２を挿入すると、制御部２１は、この挿入口への鍵カード１２の挿入によって発生した状態の変化をトリガーとして、カード検出部１７の状態を確認し、鍵カード１２が前記挿入口へ挿入されて前記マイクロスイッチがクローズされたことを挿し信号によって判別し、この挿し信号と前記制御信号（リモコンコード・電源ＯＮ信号・各種設定信号）とを関連付けして記憶部１９に記憶させる。これにより、鍵カード１２をカードホルダー１３の挿入口に挿入すると、上記したようにリモコン２９から送信した各種設定信号（冷暖房運転・風量・温度等）に従ってエアコン１６はＯＮされるようになる。
【００３０】
（ステップＳ４）
ステップＳ４では、制御部２１が、鍵カードホルダー１３の挿入口から鍵カード１２が引き抜かれた時に記憶部１９に記憶された前記制御信号をエアコン１６に送信してエアコン１６をＯＮするか、或いはＯＦＦするかを選択する。
【００３１】
例えば、鍵カードホルダー１３の挿入口に鍵カード１２を挿入した状態で前記制御信号の登録作業を行い、該登録作業完了後に鍵カードホルダー１３の挿入口から鍵カード１２を引き抜くと、制御部２１は、この挿入口からの鍵カード１２の引き抜きによって発生した状態の変化をトリガーとして、カード検出部１７の状態を確認し、鍵カード１２が前記挿入口から引き抜かれて前記マイクロスイッチがオープンされたことを抜き信号によって判別し、この抜き信号と前記制御信号（リモコンコード・電源ＯＦＦ信号）とを関連付けして記憶部１９に記憶させる。これにより、鍵カード１２をカードホルダー１３の挿入口から引き抜くと、エアコン１６はＯＦＦされるようになる。
【００３２】
なお、上記した実施の形態では、エアコン１６のリモコン２９から送信された制御信号を鍵カードシステムに登録する場合について説明したが、他の電気機器（例えば、室内照明１４、テレビ１５等）の制御信号についても上記した手順と同様の手順で鍵カードシステムに登録することができる。
【００３３】
次に、図２及び図５を参照しつつ、本発明の実施の形態に係る鍵カードシステムにおいて電気機器を制御する際のルーチンについて説明する。
【００３４】
（ステップＳ１１）
鍵カードホルダー１３の挿入口に対する鍵カード１２の挿入又は引き抜き操作が行われると、カード検知部１７がその操作を検知し、制御部２１に検知信号（挿し信号又は抜き信号）を送出する。
【００３５】
（ステップＳ１２）
制御部２１は、その検知信号が挿し信号であるか、或いは抜き信号であるかを判断し、挿し信号であると判断した場合にはステップＳ１３へ進み、抜き信号であると判断した場合にはステップＳ１４へ進む。
【００３６】
（ステップＳ１３）
ステップＳ１３では、制御部２１が、鍵カードホルダー１３の挿入口に鍵カード１２が挿入された時の各電気機器（例えば、室内照明１４、テレビ１５、エアコン１６）の制御信号を記憶部１９から読み出し、ステップＳ１５へ進む。
【００３７】
（ステップＳ１４）
ステップＳ１４では、制御部２１が、鍵カードホルダー１３の挿入口から鍵カード１２が引き抜かれた時の各電気機器（室内照明１４、テレビ１５、エアコン１６）の制御信号を記憶部１９から読み出し、ステップＳ１５へ進む。
【００３８】
（ステップＳ１５）
ステップＳ１５では、制御部２１が、前記ステップＳ１３又は前記ステップＳ１４において記憶部１９から読み出した制御信号を送受信部２０の送信部からそれぞれの電気機器（室内照明１４、テレビ１５、エアコン１６）に無線で送信してステップＳ１６へ進む。
【００３９】
この際、前記読み出した制御信号に、鍵カードホルダー１３の挿入口から鍵カード１２を引き抜いた時に室内照明１４をＯＦＦする制御信号が含まれている場合、制御部２１は、前記消灯遅延タイマを駆動させ、鍵カード１２の引き抜き操作後、所定時間（例えば、５秒間）経過するまでは、室内照明１４をＯＦＦする制御信号を出力させず、鍵カード１２の引き抜き操作と同時に室内照明１４を消灯させないように制御する。
【００４０】
（ステップＳ１６）
ステップＳ１６では、例えば、複数の制御信号の出力が存在する場合を考慮し、制御部２１は、鍵カード１２の挿入又は引き抜き操作に伴う各電気機器（室内照明１４、テレビ１５、エアコン１６）の制御信号の送信が全て完了したか否かを判断し、送信が完了したと判断し場合にはこのルーチンを終了し、送信が未完了であると判断した場合には、ステップＳ１５へループする。
【００４１】
このように、本発明の実施の形態に係る鍵カードシステムによれば、制御対象となる電気機器（室内照明１４、テレビ１５、エアコン１６等）の登録を該電気機器のリモコンにより無線（赤外線や電波等を含む）で行うと共に、鍵カードホルダー１３の挿入口に対する鍵カード１２の挿入／引き抜き操作に連動させて電気機器のＯＮ／ＯＦＦ制御を無線で行なうことができる。そのため、制御対象となる電気機器毎にリレー回路を介して家庭用電源１１と直列に電気配線接続させるための電気工事が不要となり、電気機器の追加や変更工事を容易に行うことができる。また、例えば、エアコンのように接続する電気機器の電源容量が大きい場合でも、大掛かりな電気工事が不要となり、工事費の低減化を図ることができる。
【００４２】
さらに、各電気機器は鍵カードホルダー１３の挿入口に対する鍵カード１２の挿入／引き抜き操作に連動して単に電源をＯＮ／ＯＦＦされるだけでなく、リモコンにおいて予め設定された各種設定情報（例えば、室内照明１４の場合には光量等、テレビ１５の場合には電源ＯＮ時のチャンネル・音量等、エアコン１６の場合には冷暖房・風量・温度等の設定情報）に従って多種多様に柔軟に制御可能となり、汎用性の向上を図ることができる。
【符号の説明】
【００４３】
１２…鍵カード
１３…鍵カードホルダー
１４…室内照明（電気機器）
１５…テレビ（電気機器）
１６…エアコン（電気機器）
１７…カード検知部
１９…記憶部
２０…送受信部（送信部・受信部）
２１…制御部
２９…リモコン（リモートコントロール装置）
【図１】
2010229680.tif 000003
【図２】
2010229680.tif 000004
【図３】
2010229680.tif 000005
【図４】
2010229680.tif 000006
【図５】
2010229680.tif 000007
【図６】
2010229680.tif 000008